(57)【要約】【課題】  テレビ放送波から所望のチャンネルを選局する選局装置に関し、簡単な構成でアナログ放送及びディジタル放送の両方の放送を選局可能な選局装置を提供することを目的とする。【解決手段】   本発明は、放送波から所望のチャンネルの選局する選局装置（１０１）において、ディジタル放送波及びアナログ放送波を含む帯域から所望のチャンネルを選局する選局回路（１１１〜１１４）と、選局回路（１１１〜１１４）で選局されたチャンネルがディジタル放送波のチャンネルのときには、ディジタル放送データ処理系（１１６）に選局回路（１１１〜１１４）の出力信号を出力し、選局回路で選局されたチャンネルがアナログ放送波のチャンネルのときには、アナログ放送信号処理系（１１７）に選局回路の出力信号を出力するスイッチ回路（１１５）とを有することを特徴とする。【選択図】  図１
2005079698.tif 000002
【特許請求の範囲】
【請求項１】
放送波から所望のチャンネルの選局する選局装置において、
ディジタル放送波及びアナログ放送波を含む帯域から所望のチャンネルを選局する選局回路と、
前記選局回路で選局されたチャンネルが前記ディジタル放送波のチャンネルのときには、ディジタルデータ処理系に前記選局回路の出力信号を出力し、前記選局回路で選局されたチャンネルが前記アナログ放送波のチャンネルのときには、アナログ信号処理系に前記選局回路の出力信号を出力するスイッチ回路とを有することを特徴とする選局装置。
【請求項２】
前記スイッチ回路により前記ディジタルデータ処理系が選択されたときに、前記選局回路から出力信号が供給され、前記選局回路から出力信号をディジタル復調するするディジタル復調回路と、
前記スイッチ回路により前記アナログ処理系が選択されたときに、前記選局回路から出力信号が供給され、前記選局回路から出力信号をアナログ復調するアナログ復調回路とを有することを特徴とする請求項１記載の選局装置。
【請求項３】
前記スイッチ回路により前記ディジタルデータ処理系が選択されたときに、前記選局回路から出力信号が供給され、前記選局回路から出力信号をディジタル復調するするディジタル復調回路を有し、
前記スイッチ回路により前記アナログデータ処理系が選択されたときには、前記選局回路から出力信号をそのまま出力することを特徴とする請求項１記載の選局装置。
【請求項４】
前記選局回路は、超短波帯に同調する第１の同調回路と、
超超短波帯に同調する第２の同調回路とを有することを特徴とする請求項１乃至３のいずれか一項記載の選局装置。
【請求項５】
ディジタル放送及びアナログ放送から所望のチャンネルを選局可能とされた選局装置であって、
ディジタル放送から所望のチャンネルを選局するための選局回路と、アナログ放送から所望のチャンネルを選局するための選局回路とを共通化した共通化選局回路を有することを特徴とする選局装置。
【発明の詳細な説明】
【技術分野】
【０００１】
本発明は選局装置に係り、特に、テレビ放送波から所望のチャンネルを選局する選局装置に関する。
【背景技術】
【０００２】
現在、地上波テレビ放送は、アナログ放送からディジタル放送に移行しつつある。アナログ放送からディジタル放送への移行期間においては、アナログ放送とディジタル放送とが混在する。このとき、ディジタル放送は、高画質、高音質であり、また、データ通信などが可能であるなどの特性を有し、その特性を活かすために、アナログ放送とは、その放送内容を異ならせている。また、ディジタル方法用の放送機器は高価であり、ディジタル放送用の放送機器などの設備が整うまでは、アナログ放送が中心とならざる、得ない。このため、テレビ受信機は、移行期間においてはアナログ放送とディジタル放送とを両方受信可能とすることが望まれている。
【０００３】
図４はアナログ放送とディジタル放送とを受信可能とするＶＴＲの一例のブロック図を示す。
【０００４】
ＶＴＲ（video tape recorder）１は、アナログ放送受信用チューナ１１、アナログ信号処理回路１２、ディジタル放送受信用チューナ１３、ディジタルデータ処理回路１４、ＶＴＲ部１５から構成される。
【０００５】
図５はアナログ放送受信用チューナ１１のブロック構成図を示す。
【０００６】
アナログ放送受信用チューナ１１は、アナログ放送波を選局するための装置であり、ＵＨＦ選局回路２１、ＶＨＦ選局回路２２、ＰＬＬ回路２３、アナログ復調回路２４から構成される。ＵＨＦアンテナ端子ＴuhfにはＵＨＦアンテナが接続される。ＵＨＦアンテナ端子Ｔuhfには、ＵＨＦ選局回路２１が接続されている。ＵＨＦ選局回路２１は、ＰＬＬ回路２３からの制御電圧に基づいてＵＨＦ帯の放送波から所望のチャンネルの信号を中間周波数に周波数変換して、出力する。ＰＬＬ回路２３には、制御端子Ｔcから選局信号が供給され、選局信号に応じて制御電圧Ｖcを制御する。ＵＨＦ選局回路２１で中間周波数帯の信号は、アナログ復調回路２４に供給される（特許文献１参照）。
【０００７】
図６はディジタル放送受信用チューナ１３のブロック構成図を示す。同図中、図５と同一構成部分には同一符号を付し、その説明は省略する。
【０００８】
ディジタル放送受信用チューナ１３は、アナログ放送受信用チューナ１１のアナログ復調回路２４にディジタル復調回路３４を設けた構成とされている。なお、ディジタル放送は、アナログ放送と同じ周波数帯域のＵＨＦ帯、ＶＨＦ帯が用いられるため、選局を行うＵＨＦ選局回路２１及びＶＨＦ選局回路２２は同じ構成となる。
【０００９】
アナログ放送受信用チューナ１１で受信されたアナログ放送のアナログ復調信号は、アナログ処理回路１２に供給され、所定の処理が行われた後、ＶＴＲ部１５に供給され、磁気テープなどの記録媒体に記録される。
【００１０】
また、ディジタル放送受信用チューナ１３で受信されたディジタル放送のディジタル復調データは、ディジタルデータ処理回路１４に供給され、所定の処理が行われた後、ＶＴＲ部１５に供給され、磁気テープなどの記録媒体に記録される。
【特許文献１】特開２０００−５９７０７号公報
【発明の開示】
【発明が解決しようとする課題】
【００１１】
しかるに、従来、テレビ受信機でアナログ放送とディジタル放送との両方を受信するためには、テレビ受信機にアナログ放送用のチューナ１１及びディジタル放送用のチューナ１３の２台のチューナを搭載する必要があったため、装置が大型化するなどの問題点があった。また、コストが高くなるなどの問題点があった。
【００１２】
本発明は上記の点に鑑みてなされたもので、簡単な構成でアナログ放送及びディジタル放送の両方の放送を選局可能な選局装置を提供することを目的とする。
【課題を解決するための手段】
【００１３】
本発明は、放送波から所望のチャンネルの選局する選局装置（１０１）において、ディジタル放送波及びアナログ放送波を含む帯域から所望のチャンネルを選局する選局回路（１１１〜１１４）と、選局回路（１１１〜１１４）で選局されたチャンネルがディジタル放送波のチャンネルのときには、ディジタル放送データ処理系（１１６）に選局回路（１１１〜１１４）の出力信号を出力し、選局回路で選局されたチャンネルがアナログ放送波のチャンネルのときには、アナログ放送信号処理系（１１７）に選局回路の出力信号を出力するスイッチ回路（１１５）とを有することを特徴とする。
【発明の効果】
【００１４】
本発明によれば、アナログ放送とディジタル放送とで同調及び選局回路を共通化できるため、簡単な構成でアナログ放送とディジタル放送の両方を選局可能なチューナを構成でき、また、アナログ放送用チューナとディジタル放送用チューナとを別々に設ける必要がなく、よって、ＴＶ受信機を小型化できる等の特長を有する。
【発明を実施するための最良の形態】
【００１５】
〔第１実施例〕
図１は本発明の第１実施例のブロック構成図、図２は本発明の第１実施例の外観図を示す。
【００１６】
本実施例の選局装置１０１には、図２に示すように回路基板１０５をシールドケース１０６に収納した構成とされ、いわゆる、チューナユニットとされている。シールドケース１０６からはアンテナ端子Ｔuhf、Ｔvhf、コントロール端子Ｔc、出力端子Ｔdout、Ｔaoutなどが突出している。
【００１７】
アンテナ端子ＴuhfにはＵＨＦ受信アンテナ１０２が接続され、アンテナ端子ＴvhfにはＶＨＦ受信アンテナ１０３が接続され、コントロール端子Ｔcには選局コントローラ１０４が接続され、ディジタル放送出力端子Ｔdoutからはディジタル放送データが出力され、アナログ放送出力端子Ｔaoutからはアナログ放送信号が出力される。
【００１８】
選局装置１０１は、上記回路基板１０５にＵＨＦ選局回路１１１、ＶＨＦ選局回路１１２、ＰＬＬ回路１１３、ＩＦアンプ１１４、スイッチ回路１１５、ディジタル処理回路１１６、アナログ処理回路１１７を搭載した構成とされている。
【００１９】
〔ＵＨＦ選局回路１１１〕
アンテナ端子ＴuhfにＵＨＦアンテナ１０２から供給された高周波信号は、ＵＨＦ選局回路１１１に供給される。ＵＨＦ選局回路１１１は、アンテナ同調回路１２１、高周波アンプ１２２、高周波同調回路１２３、周波数変換器１２４から構成される。
【００２０】
アンテナ接続端子Ｔuhfからの高周波信号は、ＵＨＦ選局回路１１１内で、まず、アンテナ同調回路１２１に供給される。アンテナ同調回路１２１には、ＰＬＬ回路１１３から制御電圧Ｖcが供給されている。ＰＬＬ回路１１３は、コントローラ１０４からコントロール端子Ｔcを介して供給される選局信号に応じて制御電圧Ｖcを生成する。アンテナ同調回路１２１は、ＰＬＬ回路１１３からの制御電圧Ｖcに応じて内蔵されたフィルタなどの周波数特性を可変して、所望の周波数帯域の高周波成分を抽出する。
【００２１】
アンテナ同調回路１２１の出力高周波信号は、高周波アンプ１２２に供給される。高周波アンプ１２２は、アンテナ同調回路１２１からの高周波信号を増幅して出力する。高周波アンプ１２２で増幅された高周波信号は、高周波同調回路１２３に供給される。高周波同調回路１２３には、ＰＬＬ回路１１３から制御電圧Ｖcが供給されている。アンテナ同調回路１２１は、ＰＬＬ回路１１３からの制御電圧Ｖcに応じて周波数特性を可変して、所望の周波数帯域の高周波成分を更に絞り込んで抽出する。
【００２２】
高周波同調回路１２３で抽出された高周波信号は、周波数変換器１２４に供給される。周波数変換器１２４は、電圧制御発振回路１３１及びミキサ１３２から構成される。電圧制御発振回路１３１には、ＰＬＬ回路１１３から選局されたチャンネルに応じた制御電圧Ｖcが供給されている。電圧制御発振回路１３１は、ＰＬＬ回路１１３からの制御電圧Ｖcに応じて発振周波数を可変する。よって、電圧制御発振回路１３１は、選局されたチャンネルに応じた発振周波数で発振を行う。電圧制御発振回路１３１の出力発振信号は、ミキサ１３２に供給される。
【００２３】
ミキサ１３２には、電圧制御発振回路１３１の出力発振信号の他に、高周波同調回路１２３から高周波信号が供給されている。ミキサ１３２は、電圧制御発振回路１３１の出力発振信号と高周波同調回路１２３から高周波信号とをミキシングして、高周波同調回路１２３から高周波信号を中間周波数帯域に周波数変換する。中間周波数帯域に周波数変換された信号は、ＩＦアンプ１１４に供給される。
【００２４】
〔ＶＨＦ選局回路１１２〕
アンテナ端子ＴvhfにＶＨＦアンテナ１０３から供給された高周波信号は、ＶＨＦ選局回路１１２に供給される。ＶＨＦ選局回路１１２は、アンテナ同調回路１４１、高周波アンプ１４２、高周波同調回路１４３、周波数変換器１４４から構成される。
【００２５】
アンテナ接続端子Ｔvhfからの高周波信号は、ＶＨＦ選局回路１２１内で、まず、アンテナ同調回路１４１に供給される。アンテナ同調回路１４１には、ＰＬＬ回路１１３から制御電圧Ｖcが供給されている。ＰＬＬ回路１１３は、コントローラ１０４からコントロール端子Ｔcを介して供給される選局信号に応じて制御電圧Ｖcを生成する。アンテナ同調回路１４１は、ＰＬＬ回路１１３からの制御電圧Ｖcに応じて内蔵されたフィルタなどの周波数特性を可変して、所望の周波数帯域の高周波成分を抽出する。
【００２６】
アンテナ同調回路１４１の出力高周波信号は、高周波アンプ１４２に供給される。高周波アンプ１４２は、アンテナ同調回路１４１からの高周波信号を増幅して出力する。高周波アンプ１４２で増幅された高周波信号は、高周波同調回路１４３に供給される。高周波同調回路１４３には、ＰＬＬ回路１１３から制御電圧Ｖcが供給されている。アンテナ同調回路１４１は、ＰＬＬ回路１１３からの制御電圧Ｖcに応じて周波数特性を可変して、所望の周波数帯域の高周波成分を更に絞り込んで抽出する。
【００２７】
高周波同調回路１４３で抽出された高周波信号は、周波数変換器１４４に供給される。周波数変換器１４４は、電圧制御発振回路１５１及びミキサ１５２から構成される。電圧制御発振回路１５１には、ＰＬＬ回路１１３から選局されたチャンネルに応じた制御電圧Ｖcが供給されている。電圧制御発振回路１５１は、ＰＬＬ回路１１３からの制御電圧Ｖcに応じて発振周波数を可変する。よって、電圧制御発振回路１５１は、選局されたチャンネルに応じた発振周波数で発振を行う。電圧制御発振回路１５１の出力発振信号は、ミキサ１５２に供給される。
【００２８】
ミキサ１５２には、電圧制御発振回路１５１の出力発振信号の他に、高周波同調回路１４３から高周波信号が供給されている。ミキサ１５２は、電圧制御発振回路１３１の出力発振信号と高周波同調回路１４３から高周波信号とをミキシングして、高周波同調回路１４３から高周波信号を中間周波数帯域に周波数変換する。周波数変換器１４４で中間周波数帯域に周波数変換された信号は、ＩＦアンプ１１４に供給される。
【００２９】
〔ＩＦアンプ１１４〕
ＩＦアンプ１１４は、周波数変換器１２４、１４４で中間周波数帯域に変換された信号を増幅する。ＩＦアンプ１１４で増幅された信号は、スイッチ回路１１５に供給される。
【００３０】
〔スイッチ回路１１５〕
スイッチ回路１１５には、ＰＬＬ回路１１３から切換制御信号が供給されている。ＰＬＬ回路１１３は、コントローラ１０４からコントロール端子Ｔcを介して供給される選局信号がディジタル放送のチャンネルである場合には切換制御信号をハイレベルとし、コントローラ１０４からコントロール端子Ｔcを介して供給される選局信号がアナログ放送のチャンネルである場合には切換制御信号をローレベルとする。スイッチ回路１１５は、ＰＬＬ回路１１３からの切換制御信号がハイレベルのときには、ＩＦアンプ１１４の出力信号がディジタル処理回路１１６に供給されるように信号の経路を切り替え、ＰＬＬ回路１１３からの切換制御信号がローレベルのときには、ＩＦアンプ１１４の出力信号がアナログ処理回路１１７に供給されるように信号の経路を切り替える。以上により、ディジタル放送を選局したときには、ＩＦアンプ１１４の出力信号は、ディジタル処理回路１１６に供給され、アナログ放送を選局したときには、ＩＦアンプ１１４の出力信号は、アナログ処理回路１１７に供給される。
【００３１】
〔ディジタル処理回路１１６〕
ディジタル処理回路１１６は、ＳＡＷフィルタ１６１、ディジタル復調回路１６２から構成される。ＳＡＷフィルタ１６１は、スイッチ回路１１５から供給される中間周波数信号から所望の周波数成分の信号を抽出する。ＳＡＷフィルタ１６１で抽出された信号は、ディジタル復調回路１６２に供給される。
【００３２】
ディジタル復調回路１６２は、ＳＡＷフィルタ１６１から供給された信号をディジタル処理してＭＰＥＧ２−ＴＳ信号を復調する。ディジタル復調回路１６２で復調されたＭＰＥＧ２−ＴＳ信号は、出力端子Ｔdoutから出力される。
【００３３】
〔アナログ処理回路１１７〕
アナログ処理回路１１７は、ＳＡＷフィルタ１７１、アナログ復調回路１７２から構成される。ＳＡＷフィルタ１７１は、スイッチ回路１１５から供給される中間周波数信号から所望の周波数成分の信号を抽出する。ＳＡＷフィルタ１７１で抽出された信号は、アナログ復調回路１７２に供給される。
【００３４】
アナログ復調回路１７２は、ＳＡＷフィルタ１７１から供給された信号をＦＭ復調して複合映像信号及び音声信号に復調する。アナログ復調回路１７２で復調された複合映像信号及び音声信号は、出力端子Ｔaoutから出力される。
【００３５】
このように、ディジタル放送とアナログ放送とを共通のＵＨＦ選局回路１１１を用いて受信できる。このとき、スイッチ回路１１５を設け、ディジタル放送受信時には、ＩＦアンプ１１４の出力信号をディジタル処理回路１１６に供給し、アナログ放送受信時には、ＩＦアンプ１１４の出力信号をアナログ処理回路１１７に供給することにより、ディジタル処理回路１１６とアナログディジタル処理回路１１７とのアイソレーションをとることができ、クロストークによるノイズの混入を防止できる。
【００３６】
なお、本実施例では、選局装置１０１にディジタル復調回路１１６及びアナログ復調回路１１７の両方を設けたが、アナログ復調回路１１７は外付け部品（ＩＣ）にしてもよい。
【００３７】
〔第２の実施例〕
図３は本発明の第２実施例のブロック構成図を示す。同図中、図１と同一構成部分には同一符号を付し、その説明は省略する。
【００３８】
本実施例の選局装置２０１は、図１に示す選局装置１０１においてアナログ復調回路１１７を削除し、アナログ出力端子Ｔaoutからは、ＩＦ信号が出力される構成とした。本実施例の選局装置２０１によれば、アナログ放送を復調されるアナログ復調回路１１７を削除することにより、ディジタル放送専用機などに搭載する場合に、選局装置２０１を安価に提供できる。
【図面の簡単な説明】
【００３９】
【図１】本発明の第１実施例のブロック構成図である。
【図２】本発明の第１実施例の外観図である。
【図３】本発明の第２実施例のブロック構成図である。
【図４】アナログ放送とディジタル放送とを受信可能とするＶＴＲの一例のブロック図である。
【図５】アナログ放送受信用チューナ１１のブロック構成図である。
【図６】ディジタル放送受信用チューナ１３のブロック構成図である。
【符号の説明】
【００４０】
１０１  選局装置、１０２  ＵＨＦアンテナ、１０３  ＶＨＦアンテナ
１０４  選局コントローラ
１１１  ＵＨＦ選局回路、１１２  ＶＨＦ選局回路、１１３  ＰＬＬ回路
１１４  ＩＦアンプ、１１５  スイッチ回路、１１６  ディジタル処理回路
１１７  アナログ処理回路
１２１、１４１  アンテナ同調回路、１２２、１４２  高周波アンプ
１２３、１４３  高周波同調回路、１２４、１４４  周波数変換器
１３１、１５１  電圧制御発振回路、１３２、１５２  ミキサ
１６１、１７１  ＳＡＷフィルタ、１６２  ディジタル復調回路
１７２  アナログ復調回路
【図１】
2005079698.tif 000003
【図２】
2005079698.tif 000004
【図３】
2005079698.tif 000005
【図４】
2005079698.tif 000006
【図５】
2005079698.tif 000007
【図６】
2005079698.tif 000008